(57)【要約】【課題】平板状の台座部材が平坦な状態で支持部材を支持することが可能な表示画面用台座を提供する。【解決手段】この表示画面旋回装置（表示画面用台座）２０は、ディスプレイ本体１０を支持する表示画面支持機構５０および旋回板３１と、表示画面支持機構５０および旋回板３１に加わるディスプレイ本体１０の荷重を受けるとともに、ディスプレイ本体１０の荷重を受けない状態では、矢印Ｚ１方向（ディスプレイ本体１０の荷重による撓み方向（下方）と逆方向（上方））に所定の反り量で反るように形成されている平板状の台座部材３４とを備えている。【選択図】図１１
0003128969.tif 000002
【実用新案登録請求の範囲】
【請求項１】
表示画面を支持する支持部材と、前記支持部材に加わる前記表示画面の荷重を一部の領域で受ける平板状の台座部材とを備えた表示画面用台座において、
前記支持部材と前記台座部材との間に環状に配置され、前記支持部材を介して前記表示画面の荷重を受ける複数の転動体と、前記複数の転動体を保持するとともに、円筒形状を有する保持部材と、前記台座部材の前記転動体と対応する領域の下方に設けられたゴム脚とをさらに備え、
前記台座部材は、前記表示画面の幅方向の最大長さよりも前記表示画面の前後方向の最大長さの方が小さくなるように形成されているとともに、前記表示画面の荷重を受けない状態では、前記表示画面の荷重による撓み方向と逆方向に所定の反り量で前記表示画面の前後方向に対応する方向に沿って反るように形成され、
前記所定の反り量は、前記台座部材が前記支持部材に加わる前記表示画面の荷重を受ける状態では、前記台座部材が実質的に平坦になるように設定されている、表示画面用台座。
【請求項２】
表示画面を支持する支持部材と、
前記支持部材に加わる前記表示画面の荷重を一部の領域で受けるとともに、前記表示画面の荷重を受けない状態では、前記表示画面の荷重による撓み方向と逆方向に所定の反り量で反るように形成されている平板状の台座部材とを備える、表示画面用台座。
【請求項３】
前記所定の反り量は、前記台座部材が前記支持部材に加わる前記表示画面の荷重を受ける状態では、前記台座部材が実質的に平坦になるように設定されている、請求項２に記載の表示画面用台座。
【請求項４】
前記台座部材は、前記表示画面の幅方向の最大長さよりも前記表示画面の前後方向の最大長さの方が小さくなるように形成されており、
前記台座部材の反りは、前記表示画面の前後方向に対応する方向に沿って反るように形成されている、請求項２または３に記載の表示画面用台座。
【請求項５】
前記台座部材が前記表示画面の荷重を受ける領域の下方に設けられたゴム脚をさらに備える、請求項２〜４のいずれか１項に記載の表示画面用台座。
【請求項６】
前記支持部材と前記台座部材との間に環状に配置され、前記支持部材を介して前記表示画面の荷重を受ける複数の転動体と、前記複数の転動体を保持するとともに、円筒形状を有する保持部材とをさらに備え、
前記ゴム脚は、前記台座部材の前記転動体と対応する領域の下方に設けられている、請求項５に記載の表示画面用台座。
【考案の詳細な説明】
【技術分野】
【０００１】
本考案は、表示画面用台座に関し、特に、平板状の台座部材を備える表示画面用台座に関する。
【背景技術】
【０００２】
従来、表示画面を支持するための支持部材と、平板状の台座部材とを備える表示画面用台座が知られている。このような表示画面用台座では、平板状の台座部材が支持部材に加わる表示画面の荷重を中央部近傍の一部の領域で受けるように構成されている。
【０００３】
また、従来では、負荷を受ける部材の構造が種々提案されている（たとえば、特許文献１〜３参照）。
【０００４】
上記特許文献１には、下金型と上金型との合わせ面を凸状に形成することによって、下金型を上金型に押圧する際に、下金型と上金型との合わせ面を平坦にする金型の構造が開示されている。
【０００５】
また、上記特許文献２には、スクリーン印刷の際にスキージ（はけ部材）により負荷が加わる印刷方向にスクリーン版が湾曲することを考慮して、その湾曲に相当する距離を印刷方向とは逆の方向に湾曲させた模様（パターン）を有するスクリーン印刷版の構造が開示されている。
【０００６】
また、上記特許文献３には、２つのレンズシートの少なくともいずれか一方の中央部を他方のレンズシート側に突出させることにより、２つのレンズシートを重ね合わせた際に、２つのレンズシートの密着性を向上させるレンズシートの構造が開示されている。
【０００７】
【特許文献１】特開昭６１−１８５９４６号公報
【特許文献２】特開２００４−３１４４６６号公報
【特許文献３】特開２００６−１２６５４４号公報
【考案の開示】
【考案が解決しようとする課題】
【０００８】
しかしながら、従来の表示画面用台座では、平板状の台座部材が支持部材に加わる表示画面の荷重を受けることに起因して、平板状の台座部材の荷重を受ける領域が下方に撓むので、平板状の台座部材が平坦な状態で支持部材を支持するのが困難になるという不都合があった。このため、表示画面を安定して支持するのが困難であるという問題点があった。
【０００９】
なお、上記特許文献１〜３には、表示画面用台座の平板状の台座部材が表示画面の荷重を一部の領域で受ける構造については開示も示唆もされていないので、上記特許文献１〜３は、本考案と前提とする構造が異なる。したがって、上記特許文献１〜３には、表示画面を安定して支持するのが困難であるという本考案が解決しようとする課題（問題点）すら存在しないとともに、その課題を解決するための手段の動機付けとなる記載も見当たらない。
【００１０】
この考案は、上記のような課題を解決するためになされたものであり、この考案の１つの目的は、平板状の台座部材が平坦な状態で支持部材を支持することが可能な表示画面用台座を提供することである。
【課題を解決するための手段および考案の効果】
【００１１】
上記目的を達成するために、この考案の第１の局面における表示画面用台座は、表示画面を支持する支持部材と、支持部材に加わる表示画面の荷重を一部の領域で受ける平板状の台座部材とを備えた表示画面用台座において、支持部材と台座部材との間に環状に配置され、支持部材を介して表示画面の荷重を受ける複数の転動体と、複数の転動体を保持するとともに、円筒形状を有する保持部材と、台座部材の転動体と対応する領域の下方に設けられたゴム脚とをさらに備え、台座部材は、表示画面の幅方向の最大長さよりも表示画面の前後方向の最大長さの方が小さくなるように形成されているとともに、表示画面の荷重を受けない状態では、表示画面の荷重による撓み方向と逆方向に所定の反り量で表示画面の前後方向に対応する方向に沿って反るように形成され、所定の反り量は、台座部材が支持部材に加わる表示画面の荷重を受ける状態では、台座部材が実質的に平坦になるように設定されている。
【００１２】
この考案の第１の局面による表示画面用台座では、上記のように、表示画面の荷重を受けない状態では、表示画面の荷重による撓み方向と逆方向に所定の反り量で反るように平板状の台座部材を構成することによって、平板状の台座部材が支持部材に加わる表示画面の荷重を受けることに起因して、平板状の台座部材が表示画面の荷重による撓み方向（下方）に撓む場合に、表示画面の荷重による撓み方向と逆方向に所定の反り量で形成された平板状の台座部材の反りが相殺されるので、平板状の台座部材を実質的に平坦にすることができる。これにより、平板状の台座部材が実質的に平坦な状態で支持部材を支持することができるので、表示画面を安定して支持することができる。また、支持部材を回動させる場合には、台座部材が撓むことに起因して支持部材が回動しにくくなるという不都合が発生するのを抑制することができるので、支持部材を円滑に回動させることができる。また、所定の反り量を、台座部材が支持部材に加わる表示画面の荷重を受ける状態では、台座部材が実質的に平坦になるように設定することによって、平板状の台座部材が支持部材に加わる表示画面の荷重を受けることに起因して、平板状の台座部材が表示画面の荷重による撓み方向（下方）に撓む際に、容易に、平板状の台座部材を実質的に平坦にすることができる。また、台座部材を、表示画面の幅方向の最大長さよりも表示画面の前後方向の最大長さの方が小さくなるように形成するとともに、台座部材の反りを、表示画面の前後方向に対応する方向に沿って反るように形成することによって、台座部材の短手方向（表示画面の前後方向に対応する方向）に沿って反りが形成されるので、台座部材の長手方向（表示画面の幅方向に対応する方向）に沿って反りが形成される場合に比べて、表示画面の荷重により平板状の台座部材に加わる曲げモーメントの大きさを小さくすることができる。これにより、少ない反り量で表示画面の荷重による撓みを相殺することができる。
【００１３】
また、第１の局面では、台座部材が表示画面の荷重を受ける領域の下方にゴム脚を設けることによって、表示画面の荷重による撓み方向（下方向）に台座部材が撓む場合に、上記した平板状の台座部材の反りが相殺されて平板状の台座部材が実質的に平坦になった状態で、ゴム脚により、台座部材の荷重を受ける領域を支持することができるので、平板状の台座部材が実質的に平坦になった後は、上記した平板状の台座部材の反りによる反力のみならずゴム脚によっても、台座部材が下方に撓むのを抑制することができる。これにより、平板状の台座部材を平坦な状態で維持することができる。また、支持部材と台座部材との間に環状に配置され、支持部材を介して表示画面の荷重を受ける複数の転動体と、複数の転動体を保持するとともに、円筒形状を有する保持部材とを設けるとともに、台座部材の転動体と対応する領域の下方にゴム脚を配置することによって、容易に、ゴム脚を台座部材が表示画面の荷重を受ける領域の下方に配置することができるので、表示画面の荷重による撓み方向（下方向）に台座部材が撓む場合に、上記した平板状の台座部材の反りが相殺されて平板状の台座部材が実質的に平坦になった状態で、ゴム脚により、容易に台座部材の荷重を受ける領域を支持することができる。これにより、平板状の台座部材が実質的に平坦になった後は、上記した平板状の台座部材の反りによる反力のみならずゴム脚によっても、台座部材が下方に撓むのを抑制することができるので、容易に、平板状の台座部材を平坦な状態で維持することができる。したがって、台座部材を平坦な状態で維持することにより、台座部材が撓むことに起因して転動体が転動しにくくなるという不都合が発生するのを抑制することができるので、台座部材上において保持部材に保持された転動体を円滑に転動させることができる。
【００１４】
この考案の第２の局面における表示画面用台座は、表示画面を支持する支持部材と、支持部材に加わる表示画面の荷重を一部の領域で受けるとともに、表示画面の荷重を受けない状態では、表示画面の荷重による撓み方向と逆方向に所定の反り量で反るように形成されている平板状の台座部材とを備える。
【００１５】
この考案の第２の局面による表示画面用台座では、上記のように、表示画面の荷重を受けない状態では、表示画面の荷重による撓み方向と逆方向に所定の反り量で反るように平板状の台座部材を構成することによって、平板状の台座部材が支持部材に加わる表示画面の荷重を受けることに起因して、平板状の台座部材が表示画面の荷重による撓み方向（下方）に撓む場合に、表示画面の荷重による撓み方向と逆方向に所定の反り量で形成された平板状の台座部材の反りが相殺されるので、平板状の台座部材を実質的に平坦にすることができる。これにより、平板状の台座部材が実質的に平坦な状態で支持部材を支持することができるので、表示画面を安定して支持することができる。また、支持部材を回動させる場合には、台座部材が撓むことに起因して支持部材が回動しにくくなるという不都合が発生するのを抑制することができるので、支持部材を円滑に回動させることができる。
【００１６】
上記第２の局面による表示画面用台座において、好ましくは、所定の反り量は、台座部材が支持部材に加わる表示画面の荷重を受ける状態では、台座部材が実質的に平坦になるように設定されている。このように構成すれば、平板状の台座部材が支持部材に加わる表示画面の荷重を受けることに起因して、平板状の台座部材が表示画面の荷重による撓み方向（下方）に撓む際に、容易に、平板状の台座部材を実質的に平坦にすることができる。
【００１７】
上記第２の局面による表示画面用台座において、好ましくは、台座部材は、表示画面の幅方向の最大長さよりも表示画面の前後方向の最大長さの方が小さくなるように形成されており、台座部材の反りは、表示画面の前後方向に対応する方向に沿って反るように形成されている。このように構成すれば、台座部材の短手方向（表示画面の前後方向に対応する方向）に沿って反りが形成されるので、台座部材の長手方向（表示画面の幅方向に対応する方向）に沿って反りが形成される場合に比べて、表示画面の荷重により平板状の台座部材に加わる曲げモーメントの大きさを小さくすることができる。これにより、少ない反り量で表示画面の荷重による撓みを相殺することができる。
【００１８】
上記第２の局面による表示画面用台座において、好ましくは、台座部材が表示画面の荷重を受ける領域の下方に設けられたゴム脚をさらに備える。このように構成すれば、表示画面の荷重による撓み方向（下方向）に台座部材が撓む場合に、上記した平板状の台座部材の反りが相殺されて平板状の台座部材が実質的に平坦になった状態で、ゴム脚により、台座部材の荷重を受ける領域を支持することができるので、平板状の台座部材が実質的に平坦になった後は、上記した平板状の台座部材の反りによる反力のみならずゴム脚によっても、台座部材が下方に撓むのを抑制することができる。これにより、平板状の台座部材を平坦な状態で維持することができる。
【００１９】
この場合において、好ましくは、支持部材と台座部材との間に環状に配置され、支持部材を介して表示画面の荷重を受ける複数の転動体と、複数の転動体を保持するとともに、円筒形状を有する保持部材とをさらに備え、ゴム脚は、台座部材の転動体と対応する領域の下方に設けられている。このように構成すれば、容易に、ゴム脚を台座部材が表示画面の荷重を受ける領域の下方に配置することができるので、表示画面の荷重による撓み方向（下方向）に台座部材が撓む場合に、上記した平板状の台座部材の反りが相殺されて平板状の台座部材が実質的に平坦になった状態で、ゴム脚により、容易に台座部材の荷重を受ける領域を支持することができる。これにより、平板状の台座部材が実質的に平坦になった後は、上記した平板状の台座部材の反りによる反力のみならずゴム脚によっても、台座部材が下方に撓むのを抑制することができるので、容易に、平板状の台座部材を平坦な状態で維持することができる。したがって、台座部材を平坦な状態で維持することにより、台座部材が撓むことに起因して転動体が転動しにくくなるという不都合が発生するのを抑制することができるので、台座部材上において保持部材に保持された転動体を円滑に転動させることができる。
【考案を実施するための最良の形態】
【００２０】
以下、本考案を具体化した実施形態を図面に基づいて説明する。
【００２１】
図１、図２、図１１および図１２は、本考案の一実施形態による表示画面旋回装置が設けられた液晶テレビジョンを示した図である。図３〜図１０は、図１に示した一実施形態による表示画面旋回装置の詳細構造を示した図である。まず、図１〜図１２を参照して、本考案の一実施形態による表示画面旋回装置２０および表示画面旋回装置２０が設けられた液晶テレビジョン１００の構造について説明する。なお、本実施形態では、表示装置の一例である液晶テレビジョン１００の表示画面旋回装置２０に本考案の表示画面用台座を適用した場合について説明する。また、この液晶テレビジョン１００は、ディスプレイ本体１０と、ディスプレイ本体１０を旋回させるための表示画面旋回装置２０とを備えている。
【００２２】
本考案の一実施形態による表示画面旋回装置２０は、図１に示すように、ディスプレイ本体１０をＡ方向またはＢ方向に（本実施形態では±３０度）旋回させるために設けられている。なお、ディスプレイ本体１０は、本考案の「表示画面」の一例である。また、表示画面旋回装置２０は、図３に示すように、ディスプレイ本体１０（図２参照）をＡ方向またはＢ方向に旋回させるための旋回部３０と、後述する円板状の旋回板３１を水平方向に旋回（回動）させるために設けられた、後述する複数のギアなどからなる水平旋回駆動部４０と、旋回板３１上に設けられているとともに、ディスプレイ本体１０を支持するための表示画面支持機構５０とから構成されている。なお、表示画面支持機構５０は、本考案の「支持部材」の一例である。
【００２３】
また、旋回部３０は、図４および図５に示すように、表示画面支持機構５０（図２参照）が取り付けられる板金製の円板状の旋回板３１と、後述する保持部材３３の貫通孔３３ａ（図５参照）に配置される２４個の鋼球３２と、鋼球３２を回転可能に保持する樹脂製の保持部材３３と、板金製の台座部材３４と、金属製の浮止部材３５（本実施形態では４つ）とから構成されている。なお、旋回板３１および鋼球３２は、それぞれ、本考案の「支持部材」および「転動体」の一例である。また、板金製の円板状の旋回板３１の中央部には、図５に示すように、後述する回動軸部３４１が挿入される孔部３１ｂが形成されている。
【００２４】
また、樹脂製の保持部材３３は、図５に示すように、平面的に見て円環形状に形成されている。また、保持部材３３には、平面的に見て略矩形形状（本実施形態では略正方形）を有する貫通孔３３ａが所定の間隔を隔てて円環状に２４個形成されている。また、保持部材３３は、鋼球３２の直径よりも小さい高さ（上下方向の厚み）を有するとともに、旋回板３１の外周面３１ａと実質的に等しい大きさの直径を有する。したがって、図４に示すように、保持部材３３の貫通孔３３ａ（図５参照）に装填された複数の鋼球３２が、上下方向から旋回板３１と台座部材３４とに挟まれることによって、旋回板３１は、台座部材３４上でＡ方向またはＢ方向に回動可能なように構成されている。
【００２５】
ここで、本実施形態では、平板状の台座部材３４は、図４および図５に示すように、平面的に見て実質的に台形形状を有するとともに、表示画面支持機構５０および旋回板３１に加わるディスプレイ本体１０（図１参照）の荷重を保持部材３３に収納された２４個の鋼球３２を介して受けるように構成されている。また、台座部材３４は、ディスプレイ本体１０の前方側において実質的にディスプレイ本体１０の幅方向に延びるような辺３４ａと、辺３４ａの両端部から辺３４ａと交差する方向に延びるような辺３４ｂと、ディスプレイ本体１０の後方側において辺３４ｂを連結する辺３４ｃとを有する。また、図７に示すように、台座部材３４のディスプレイ本体１０幅方向（図７のＹ方向）の最大長さＬ１よりもディスプレイ本体１０の前後方向（図７のＸ方向）の最大長さＬ２が小さくなるように形成されている。すなわち、台座部材３４は、ディスプレイ本体１０の幅方向（図７のＹ方向）が長手方向になり、ディスプレイ本体１０の前後方向（図７のＸ方向）が短手方向になる。また、台座部材３４は、図１１に示すように、液晶ディスプレイ１００が載置台２００に載置される前の状態において、ディスプレイ本体１０の荷重を受けない状態では、Ｘ方向（短手方向）において、矢印Ｚ１方向（ディスプレイ本体１０の荷重による撓み方向（下方向）と逆方向）に所定の反り量（本実施形態では約０．５ｍｍ）で反るように形成されている。この台座部材３４の所定の反り量は、図１２に示すように、液晶ディスプレイ１００が載置台２００に載置された状態において、ディスプレイ本体１０の荷重を受ける状態では、実質的に平坦になるように設定されている。
【００２６】
また、本実施形態では、台座部材３４には、図４および図５に示すように、浮止部材３５を取り付けるための４つの凸部３４ｄと、台座部材３４に後述するカバー部材２１（図１参照）を取り付けるための６つの凸部３４ｅと、後述する回動軸部３４１が配置される開口部３４ｆ（図８参照）とが形成されている。この凸部３４ｄおよび３４ｅは、プレス加工により、上方（旋回板３１側）に凸となる絞り形状を有するように形成されている。また、凸部３４ｄは、図７に示すように、平面的に見て楕円形状を有するとともに、旋回板３１の外周面３１ａおよび保持部材３３を取り囲むように等角度間隔（本実施形態では９０度間隔）で形成されている。また、各凸部３４ｄには、浮止部材３５を取り付けるための２つのネジ取付孔３４ｇが形成されている。また、凸部３４ｅは、平面的に見て円形状を有するとともに、辺３４ａおよび辺３４ｃ近傍にそれぞれ３つずつ形成されている。また、凸部３４ｅには、カバー部材２１を取り付けるためのネジ挿入孔３４ｈが形成されている。
【００２７】
また、本実施形態では、台座部材３４の開口部３４ｆは、台座部材３４の中央部に形成されている。これにより、台座部材３４の中央部には、図８に示すように、カシメ加工により、台座部材３４の底面側から開口部３４ｆを介して上方（旋回板３１側）に突出するように金属製の回動軸部３４１が取り付けられている。また、この回動軸部３４１の上端部近傍には、図５に示すように、Ｅリング３６を取り付けるための溝部３４１ａが外周面に円周方向に沿って形成されている。また、図４に示すように、Ｅリング３６が溝部３４１ａ（図１１参照）に回動軸部３４１の軸方向と直交する方向から挿入されることにより、Ｅリング３６が回動軸部３４１に取り付けられることによって、旋回板３１が回動軸部３４１から抜け落ちるのを抑制することが可能であるので、旋回板３１と台座部材３４との間に、鋼球３２および保持部材３３を保持することが可能である。
【００２８】
また、本実施形態では、台座部材３４の底面側には、図７に示すように、約２．５ｍｍの厚みを有する６つのゴム脚３４２が接着剤により取り付けられている。この６つのゴム脚３４２のうち４つは、台座部材３４の四隅近傍の凸部３４ｅと対応する領域に設けられている。また、６つのゴム脚３４２のうち残りの２つは、それぞれ、台座部材３４の上面側において鋼球３２が配置される領域の下方に設けられている。具体的には、２つのゴム脚３４２は、それぞれ、鋼球３２が配置される領域のうちの台座部材３４のＸ方向（短手方向）に延びる中心線５３０上に、所定の間隔を隔てた位置に配置されている。
【００２９】
また、浮止部材３５は、図５および図６に示すように、浮止部材３５に設けられたネジ挿入孔３５ａを介して、ネジ７０が凸部３４ｄに設けられたネジ取付孔３４ｇに締め付けられることにより、凸部３４ｄに取り付けられるように構成されている。また、図６に示すように、浮止部材３５の浮止部３５ｂによって、旋回板３１がＡ方向またはＢ方向（図４参照）に回動する際に、旋回板３１が垂直方向に移動するのが抑制されるとともに、浮止部材３５の脚部３５ｃによって、旋回板３１および保持部材３３の水平面内での位置決めが行われるように構成されている。
【００３０】
また、水平旋回駆動部４０は、図３に示すように、台座部材３４上の旋回板３１を水平面内でＡ方向およびＢ方向に回動させるための伝達ギア部４１と、伝達ギア部４１の駆動源となるステッピングモータ４２とから構成されている。また、水平旋回駆動部４０は、台座部材３４上に配置されるように構成されている。また、伝達ギア部４１は、樹脂製のギアボックス４６の内部に配置された樹脂製のギア４３、トルクリミッタ６０および樹脂製のギア４４と、樹脂製のギア４５とにより構成されている。
【００３１】
また、図９に示すように、ステッピングモータ４２の回転軸には、樹脂製のウォームギア４７が圧入されている。また、図９および図１０に示すように、ギア４３は、大径ギア部４３ａと、小径ギア部４３ｂとを一体的に含んでいる。また、ギア４４は、大径ギア部４４ａと、小径ギア部４４ｂとを一体的に含んでいる。また、ギア４５は、大径ギア部４５ａと、小径ギア部４５ｂ（図１０参照）とを一体的に含んでいる。また、図３、図４および図９に示すように、旋回部３０の旋回板３１の上面には、樹脂製の旋回ギア部材４８が、４つのネジ７０によって固定されている。この旋回ギア部材４８は、旋回板３１の旋回角度が所定の角度になった場合に当接するストッパ部材（図示せず）によって、所定の角度範囲（本実施形態では±３０度）内で旋回するように構成されている。なお、図９では、伝達ギア部４１の構成を説明するために、ステッピングモータ４２、ギア４３、トルクリミッタ６０およびギア４４を内部に配置するためのギアボックス４６（図３参照）を図面から省略している。
【００３２】
また、図９および図１０に示すように、ウォームギア４７は、ギア４３の大径ギア部４３ａに、回転軸が直交するように噛合されているとともに、ギア４３の小径ギア部４３ｂは、トルクリミッタ６０の原動側ギア６２のギア部６２ａに回転軸が平行に噛合されている。また、トルクリミッタ６０の従動側ギア６１のギア部６１ａは、ギア４４の大径ギア部４４ａに回転軸が平行に噛合されているとともに、ギア４４の小径ギア部４４ｂは、ギア４５の大径ギア部４５ａに回転軸が平行に噛合されている。また、ギア４５の小径ギア部４５ｂは、旋回ギア部材４８の旋回ギア部４８ａに回転軸が平行に噛合されている。したがって、図９および図１０に示す上述のギア部材の配置関係から、ステッピングモータ４２の駆動力が、ウォームギア４７、ギア４３、トルクリミッタ６０、ギア４４、ギア４５および旋回ギア部材４８を介して旋回板３１へと伝達されるように構成されている。
【００３３】
また、トルクリミッタ６０は、図９および図１０に示すように、樹脂製の従動側ギア６１と、樹脂製の原動側ギア６２と、金属製のバネ部材６３（コイルバネ）とから構成されている。また、トルクリミッタ６０は、ステッピングモータ４２が回転されることにより旋回板３１が旋回され、旋回板３１がストッパ部材（図示せず）に当接して旋回板３１の旋回動作が停止された場合に、ステッピングモータ４２から旋回板３１に伝達されていた駆動力を従動側ギア６１と原動側ギア６２との間で遮断することにより、回転を続けるステッピングモータ４２に負荷がかかるのを抑制する機能を有する。
【００３４】
また、表示画面支持機構５０は、図３に示すように、旋回板３１の上面に設けられている。また、表示画面支持機構５０は、表示画面支持部材５１と、表示画面支持部材５１を補強するための補強部材５２とにより構成されている。この表示画面支持部材５１および補強部材５２は、２つのネジ７０によって旋回板３１に固定されているとともに、旋回板３１の表面に対して垂直方向に延びるように設けられている。また、表示画面支持部材５１は、補強部材５２と隣接するように設けられているとともに、３つのネジ７０により補強部材５２と連結されている。
【００３５】
また、図１および図２に示すように、ディスプレイ本体１０は、樹脂製のフロントキャビネット１１と、樹脂製のリアキャビネット１２とから構成されている。また、ディスプレイ本体１０の内部には、液晶パネル（図示せず）が取り付けられた液晶モジュール（図示せず）が、フロントキャビネット１１およびリアキャビネット１２によって取り囲まれるように構成されている。また、ディスプレイ本体１０は、表示画面支持部材５１のネジ挿入孔５１ａ（図２参照）および５１ｂ（図２参照）を介して、ネジ取付孔（図示せず）にネジ７０が締め付けられることにより、表示画面支持部材５１に取り付けられている。また、リアキャビネット１２には、表示画面支持部材５１を覆い隠して配置するための切欠部１２ａが一体的に設けられている。また、リアキャビネット１２の外周部には、複数のネジ挿入孔１２ｂ（本実施形態では７個所）が設けられ、ネジ８０によってフロントキャビネット１１に取り付けられるように構成されている。
【００３６】
また、表示画面旋回装置２０には、図１および図２に示すように、樹脂製のカバー部材２１および２２が取り付けられている。具体的には、ネジ７０（図１２参照）をネジ挿入孔３４ｈ（図４参照）を介して台座部材３４の底面側から取り付けることにより、台座部材３４にカバー部材２１が取り付けられている。また、カバー部材２２は、旋回板３１（図３参照）の上方を覆うとともに、旋回板３１とともにＡ方向またはＢ方向に旋回することが可能なように設けられている。また、樹脂製のカバー部材２２には、表示画面支持機構５０が挿入されるための挿入孔２２ａが設けられている。
【００３７】
図１３および図１４は、図３に示した一実施形態による表示画面旋回装置の旋回動作を説明するための平面図である。次に、図１、図３、図４、図９、図１０、図１３および図１４を参照して、本実施形態による表示画面旋回装置２０の旋回動作について説明する。
【００３８】
まず、図３に示すように、表示画面支持部材５１が正面を向いた状態（旋回ギア部材４８の旋回ギア部４８ａの中央部がギア４５の小径ギア部４５ｂと噛合している状態）から、ユーザが付属リモコン（図示せず）のオートターンボタン（図示せず）を押圧することによって、ディスプレイ本体１０（図１参照）をＡ方向に旋回させる信号がディスプレイ本体１０の制御回路部（図示せず）に送信される。この信号に基づいて、表示画面旋回装置２０のステッピングモータ４２が駆動される。具体的には、図３に示すように、ステッピングモータ４２が駆動するのに伴って、ステッピングモータ４２に取り付けられたウォームギア４７がＥ１方向（図９参照）に回転する。これにより、ギア４３がＥ２方向、トルクリミッタ６０の原動側ギア６２および従動側ギア６１がＥ３方向、ギア４４がＥ４方向およびギア４５がＥ５方向に回転するとともに、旋回ギア部材４８がＡ方向に回動する。これにより、図１３に示すように、表示画面支持部材５１が取り付けられた旋回板３１がＡ方向に旋回を開始するので、ディスプレイ本体１０（図１参照）は、Ａ方向へ旋回を開始する。
【００３９】
そして、ユーザが付属リモコン（図示せず）のオートターンボタン（図示せず）を押圧している間は、ディスプレイ本体１０（図１参照）が載置された旋回板３１が所定の回転速度でＡ方向への旋回を継続する。このとき、図６に示すように、４つの浮止部材３５の浮止部３５ｂおよび脚部３５ｃにより、旋回板３１の回動軸部３４１の軸方向および回動軸部３４１の軸方向と直交する方向にがたつきが発生するのを抑制しながら、旋回板３１を旋回させることが可能である。
【００４０】
そして、ディスプレイ本体１０が、ユーザが希望する角度まで旋回された場合、ユーザは付属リモコン（図示せず）のオートターンボタン（図示せず）の押圧を解除することによって、ディスプレイ本体１０（図１参照）をＡ方向に旋回させる信号がディスプレイ本体１０の制御回路部（図示せず）に送信されなくなる。したがって、ステッピングモータ４２の駆動が停止される。これにより、旋回板３１は、図１３に示すような位置でＡ方向への旋回を停止するとともに静止される。
【００４１】
また、ディスプレイ本体１０（図１参照）のＡ方向（図１参照）への旋回動作がユーザによって継続されている状態において、旋回板３１の旋回角度が最大（本実施形態では３０度）となった場合は、旋回板３１は旋回部３０の内部に設けられたストッパ部材（図示せず）に当接することによって、Ａ方向（図１参照）への旋回動作が規制される。したがって、旋回板３１は、図１４に示すような位置でＡ方向への旋回を停止するとともに静止される。この際、図１４に示すように、ステッピングモータ４２は駆動を継続しているので、トルクリミッタ６０の原動側ギア６２と従動側ギア６１との間でステッピングモータ４２からの駆動力を遮断する。これにより、ステッピングモータ４２に負荷がかかるのが抑制される。
【００４２】
なお、上記の旋回動作は、旋回板３１を図１３に示すＡ方向に旋回させる動作について説明したが、Ａ方向とは反対のＢ方向へ旋回板３１を旋回させる旋回動作の際には、ステッピングモータ４２が反対の方向に駆動されることによって、旋回板３１がＢ方向へ旋回される。
【００４３】
本実施形態では、上記のように、ディスプレイ本体１０の荷重を受けない状態では、矢印Ｚ１方向（ディスプレイ本体１０の荷重による撓み方向と逆方向）に所定の反り量（本実施形態では約０．５ｍｍ）で反るように平板状の台座部材３４を構成することによって、液晶テレビジョン１００を載置台２００に載置することにより、台座部材３４がディスプレイ本体１０の荷重を受けることに起因して、台座部材３４が矢印Ｚ２方向（図１２参照）に撓む。これにより、台座部材３４の矢印Ｚ１方向（図１１参照）の反りが相殺されるので、台座部材３４を実質的に平坦にすることができる。したがって、台座部材３４が実質的に平坦な状態で旋回板３１を支持することができるので、ディスプレイ本体１０を安定して支持することができる。また、台座部材３４が矢印Ｚ２方向（図１２参照）に撓むことに起因して旋回板３１が回動しにくくなるという不都合が発生するのを抑制することができるので、旋回板３１を円滑に回動させることができる。
【００４４】
また、本実施形態では、所定の反り量を、台座部材３４がディスプレイ本体１０の荷重を受ける状態では、台座部材３４が実質的に平坦になるように設定することによって、液晶テレビジョン１００を載置台２００に載置することにより、台座部材３４がディスプレイ本体１０の荷重を受けることに起因して、台座部材３４が矢印Ｚ２方向（図１２参照）に撓む際に、容易に、台座部材３４を実質的に平坦にすることができる。
【００４５】
また、本実施形態では、台座部材３４を、ディスプレイ本体１０の幅方向（図７のＹ方向）の最大長さよりもディスプレイ本体１０の前後方向（図７のＸ方向）の最大長さの方が小さくなるように形成するとともに、台座部材３４の反りを、ディスプレイ本体１０の前後方向（図７のＸ方向）に沿って反るように形成することによって、台座部材３４の短手方向（図７のＸ方向）に沿って反りが形成されるので、台座部材の長手方向（図７のＹ方向）に沿って反りが形成される場合に比べて、ディスプレイ本体１０の荷重により台座部材３４に加わる曲げモーメントの大きさを小さくすることができる。これにより、少ない反り量でディスプレイ本体１０の荷重による矢印Ｚ２方向（図１２参照）の撓みを相殺することができる。
【００４６】
また、本実施形態では、台座部材３４がディスプレイ本体１０の荷重を受ける領域の下方にゴム脚３４２を設けることによって、ディスプレイ本体１０の荷重により矢印Ｚ２方向（図１２参照）に台座部材３４が撓む際に、上記した台座部材３４の反りが相殺されて平板状の台座部材３４が実質的に平坦になった状態で、ゴム脚３４２により、台座部材３４の荷重を受ける領域を支持することができるので、平板状の台座部材３４が実質的に平坦になった後は、上記した平板状の台座部材３４の反りによる反力のみならずゴム脚３４２によっても、台座部材３４が下方（図１２の矢印Ｚ２方向）に撓むのを抑制することができる。これにより、平板状の台座部材３４を平坦な状態で維持することができる。
【００４７】
また、本実施形態では、旋回板３１と台座部材３４との間に環状に配置され、表示画面支持機構５０および旋回板３１を介してディスプレイ本体１０の荷重を受ける２４個の鋼球３２と、２４個の鋼球３２を保持するとともに、円環形状を有する保持部材３３とを設けるとともに、台座部材３４の鋼球３２と対応する領域の下方にゴム脚３４２を配置することによって、容易に、ゴム脚３４２を台座部材３４がディスプレイ本体１０の荷重を受ける領域の下方に配置することができるので、ディスプレイ本体１０の荷重により矢印Ｚ２方向（図１２参照）に台座部材３４が撓む際に、上記した台座部材３４の反りが相殺されて平板状の台座部材３４が実質的に平坦になった状態で、ゴム脚３４２により、容易に台座部材３４の荷重を受ける領域を支持することができる。これにより、平板状の台座部材３４が実質的に平坦になった後は、上記した平板状の台座部材３４の反りによる反力のみならずゴム脚３４２によっても、台座部材３４が下方（図１２の矢印Ｚ２方向）に撓むのを抑制することができるので、容易に、平板状の台座部材３４を平坦な状態で維持することができる。したがって、台座部材３４を平坦な状態で維持することにより、台座部材３４が撓むことに起因して鋼球３２が回転しにくくなるという不都合が発生するのを抑制することができるので、台座部材３４上において保持部材３３に保持された鋼球３２を円滑に回転させることができる。
【００４８】
なお、今回開示された実施形態は、すべての点で例示であって制限的なものではないと考えられるべきである。本考案の範囲は、上記した実施形態の説明ではなく実用新案登録請求の範囲によって示され、さらに実用新案登録請求の範囲と均等の意味および範囲内でのすべての変更が含まれる。
【００４９】
たとえば、上記実施形態では、表示装置の一例としての液晶テレビジョン１００に表示画面旋回装置２０を設ける例を示したが、本考案はこれに限らず、有機ＥＬパネルなどの液晶パネル以外の表示画面（表示パネル）を有する表示装置に表示画面旋回装置を設けるようにしてもよい。
【００５０】
また、上記実施形態では、支持部材の一例として回動可能な旋回板３１および表示画面支持機構５０を用いる例を示したが、本考案はこれに限らず、回動しない支持部材を用いるようにしてもよい。
【００５１】
また、上記実施形態では、平面的に見て実質的に台形形状を有する台座部材３４を用いる例を示したが、本考案はこれに限らず、平面的に見て実質的に矩形状または円形状を有する台座部材を用いてもよい。
【００５２】
また、上記実施形態では、ディスプレイ本体１０の前後方向（Ｘ方向）において、矢印Ｚ１方向に所定の反り量で反るように形成された台座部材３４を用いる例を示したが、本考案はこれに限らず、中心部を頂点とする半球状に上方に突出するように反りが形成された台座部材を用いてもよい。
【図面の簡単な説明】
【００５３】
【図１】本考案の一実施形態による表示画面旋回装置が設けられた液晶テレビジョンの全体構成を示した斜視図である。
【図２】図１に示した一実施形態による表示画面旋回装置が設けられた液晶テレビジョンの全体構成を示した分解斜視図である。
【図３】図１に示した一実施形態による表示画面旋回装置を示した平面図である。
【図４】図３に示した一実施形態による表示画面旋回装置の旋回部を示した斜視図である。
【図５】図３に示した一実施形態による表示画面旋回装置の旋回部を示した分解斜視図である。
【図６】図３の５００−５００線に沿った断面図である。
【図７】図３に示した一実施形態による表示画面旋回装置の台座部材を底面側から示した平面図である。
【図８】図７の５１０−５１０線に沿った断面図である。
【図９】図３に示した一実施形態による表示画面旋回装置の水平旋回駆動部を説明するための斜視図である。
【図１０】図９の５２０−５２０線に沿った断面図である。
【図１１】図１に示した一実施形態による表示画面旋回装置が設けられた液晶テレビジョンを載置台に載置する前の状態を示した概略図である。
【図１２】図１に示した一実施形態による表示画面旋回装置が設けられた液晶テレビジョンを載置台に載置した状態を示した概略図である。
【図１３】図３に示した一実施形態による表示画面旋回装置の旋回動作を説明するための平面図である。
【図１４】図３に示した一実施形態による表示画面旋回装置の旋回動作を説明するための平面図である。
【符号の説明】
【００５４】
１０  ディスプレイ本体（表示画面）
２０  表示画面旋回装置（表示画面用台座）
３１  旋回板（支持部材）
３２  鋼球（転動体）
３３  保持部材
３４  台座部材
５０  表示画面支持機構（支持部材）
３４２  ゴム脚
【図１】
0003128969.tif 000003
【図２】
0003128969.tif 000004
【図３】
0003128969.tif 000005
【図４】
0003128969.tif 000006
【図５】
0003128969.tif 000007
【図６】
0003128969.tif 000008
【図７】
0003128969.tif 000009
【図８】
0003128969.tif 000010
【図９】
0003128969.tif 000011
【図１０】
0003128969.tif 000012
【図１１】
0003128969.tif 000013
【図１２】
0003128969.tif 000014
【図１３】
0003128969.tif 000015
【図１４】
0003128969.tif 000016